(57)【特許請求の範囲】
【請求項１】
着用者が着用して妊婦となることを体験する妊婦体験シミュレーターであって、
着用者の腹部に対応する部分に、空気袋部からなる擬似胎児羊水部が備えられると共に、空気袋部に空気出し入れ口が備えられ、この空気出し入れ口を通じて空気袋部内に空気を入れることで擬似胎児羊水部が形成されるものとなされていることを特徴とする妊婦体験シミュレーター。
【請求項２】
前記空気袋部が伸縮性を有し、空気出し入れ口を通じて空気を出し入れすることにより、擬似胎児羊水部の体積を大小変化させることができるようになされている請求項１に記載の妊婦体験シミュレーター。
【請求項３】
擬似胎児羊水部を着用者の腹部に保持する肩掛け部分が備えられておらず、
着用者腹部胴回りへの巻付け部が備えられて、該巻付け部と擬似胎児羊水部とで腹巻き状に構成され、着用者の腹部胴回りに巻いて取り付けられることで擬似胎児羊水部が着用者の腹部に保持されるようになされている請求項１又は２に記載の妊婦体験シミュレーター。
【請求項４】
空気袋部の背面側に位置しておもり層部が設けられている請求項３に記載の妊婦体験シミュレーター。
【請求項５】
着用者の腹部に対応する部分に、空気袋部からなる擬似胎児羊水部が備えられると共に、空気袋部に空気出し入れ口が備えられ、この空気出し入れ口を通じて空気袋部内に空気を入れることで擬似胎児羊水部が形成されるものとなされており、かつ、擬似胎児羊水部を着用者の腹部に保持する肩掛け部分が備えられておらず、着用者腹部胴回りへの巻付け部が備えられて、該巻付け部と擬似胎児羊水部とで腹巻き状に構成され、着用者の腹部胴回りに巻いて取り付けられることで擬似胎児羊水部が着用者の腹部に保持されるようになされている擬似胎児羊水部用のシミュレーターと、
衣服及び／又は胸当てと、
がセットになっていることを特徴とする妊婦体験シミュレーター。
【発明の詳細な説明】
【０００１】
【発明の属する技術分野】
本発明は、着用者が着用して妊婦となることを体験するのに用いられる妊婦体験シミュレーターに関する。
【０００２】
【従来の技術】
従来より、いくつかの妊婦体験シミュレーターが提供されている（特開平９−１４６４５１号、米国特許第４，５３１，９１９号明細書）。それらは、肩に掛ける部分と腹部に巻き付ける部分とを両方備えたチョッキ状、ベスト状のもので、腹部対応部分に収容部が備えられ、この収容部に擬似胎児羊水部材を収容することによって、シミュレーターに擬似胎児羊水部を形成するものであった。
【０００３】
【発明が解決しようとする課題】
しかしながら、上記のシミュレーターでは、擬似胎児羊水部を形成するのに擬似胎児羊水部材を収納部に詰め込まなければならず、擬似胎児羊水部の形成がいささか面倒であるという問題がある。
【０００４】
特に、シミュレーターに形成する擬似胎児羊水部の体積は、妊婦を体験しようとする者の体格や、体験しようとする妊婦の妊娠月数などによって大小まちまちであり、また、擬似胎児羊水部の体積を大にしたり小にしたりすることによって妊婦の動作域がどのように変化するのかを試してみようというような場合などもあり、それらに応えうる体験シミュレーターとするためには、サイズの大小異なる擬似胎児羊水部材を予め多数用意しておかなければならず、そのため、シミュレーターが全体として高価なものになってしまうと共に、擬似胎児羊水部材の入れ換え作業がまた非常に厄介であるという問題がある。
【０００５】
更に、従来の妊婦体験シミュレーターには、腹部の胴回りに巻き付ける部分のほかに肩に掛ける部分も備えられているため、体験者に対するシミュレーターの着用方法の説明が不十分であると、体験しようとする者の多くは、このシミュレーターを肩で吊るように着用してしまい、そのため、妊娠時の重量を肩で支えることとなって、重量を腹部で支える実際の妊婦とは異なる誤った体験をしてしまいやすいという問題がある。シミュレーターは、妊娠体験のない者が着用するのが一般的であり、誤った使い方によって体験者に誤った認識を植え付けさせてしまう危険性がある。
【０００６】
また、妊婦体験シミュレーターは、様々な目的において用いられるものであるが、例えば、住宅の中での日常生活において妊娠中の身体の動作域の減少がどの程度のものになるのかを体験することを主目的とするような場合、具体的には例えば前屈域減少の体験や、足元に視線がいきにくくなることの体験などを目的とするような場合には、従来のシミュレーターでは、内部に擬似胎児羊水部材を収容しなければならず、構造的にいって重量が大きなものになってしまいやすく、妊婦の動作域の減少を体験するのに肉体的に多くのエネルギーを消費してしまうことになるという問題もある。
【０００７】
本発明は、上記のような従来の問題点に鑑み、擬似胎児羊水部を容易に形成することができ、また、体積の大小異なる擬似胎児羊水部を容易にしかもコスト的に有利に形成することができ、また、妊娠時の体重増による身体への荷重のかかり具合を体験することが目的の一つであるような場合において、使用方法の説明が不十分であったとしても、身体への荷重のかかり具合を着用者が誤りなく正確に体験することができ、また、妊婦の動作域減少の体験が主目的である場合に非常に軽い体験シミュレーターを実現することができる構造の妊婦体験シミュレーターを提供することを課題とする。
【０００８】
【課題を解決するための手段】
上記の課題は、着用者が着用して妊婦となることを体験する妊婦体験シミュレーターであって、
着用者の腹部に対応する部分に、空気袋部からなる擬似胎児羊水部が備えられると共に、空気袋部に空気出し入れ口が備えられ、この空気出し入れ口を通じて空気袋部内に空気を入れることで擬似胎児羊水部が形成されるものとなされていることを特徴とする妊婦体験シミュレーターによって解決される。
【０００９】
このシミュレーターでは、これに備えられた空気袋部に空気を入れるだけで擬似胎児羊水部が形成されるので、擬似胎児羊水部を容易に形成することができる。しかも、擬似胎児羊水部の内部は空気であるから、妊婦の動作域減少の体験を主目的とするシミュレーターとするような場合に、非常に軽量な体験シミュレーターを実現することができる。加えて、不使用時は、空気を抜いてコンパクトに保管することができ、従来のように別途に擬似胎児羊水部材の保管スペースを用意しておく必要もない。
【００１０】
上記のシミュレーターにおいて、空気袋部が伸縮性を有し、空気出し入れ口を通じて空気を出し入れすることにより、擬似胎児羊水部の体積を大小変化させることができるようになされている場合は、妊婦を体験しようとする者の体格や、体験しようとする妊婦の妊娠月数、擬似胎児羊水部の体積を大にしたり小にしたりすることによって妊婦の動作域がどのように変化するのかを試してみようというような場合などおいて、それらに応えうる種々の体積の擬似胎児羊水部を、従来のように擬似胎児羊水部材の出し入れを行うことなく、空気袋部内の空気量を調整するだけで容易に形成することができる。しかも、空気で擬似胎児羊水部の体積を調整するものであるから、サイズの異なる多数種類の擬似胎児羊水部材を用意しておく必要もなく、シミュレーターのトータルコストを低く抑えることができる。加えて、擬似胎児羊水部の体積を無段階に調整することができ、細かい調整が可能である。
【００１１】
シミュレーターに、肩掛け部分がなく、着用者の腹部胴回りに巻き付けられ、その巻付けのみによってシミュレーターが着用者の腹部胴回りに保持されるようになされている場合は、妊娠時の体重増による身体への荷重のかかり具合を体験することが目的の一つであるような場合において、シミュレーターの使用方法の説明が不十分であったとしても、あるいは、説明がなかったとしても、体験者は、シミュレーターを腹部同回りに巻き付けて取り付けるしかなく、従って、シミュレーターの重量を、肩ではなく、誤りなく確実に腹部で感じることができて、身体への荷重のかかり具合を体験者に誤りなく正確に体験させることができる。
【００１２】
また、この場合に、空気袋部の背面側に位置しておもり層部が設けられている場合は、シミュレーターの重心位置を体幹側に近づけることができて、着用者はこのシミュレーターによって荷重のかかり具合を実際の妊婦により近い感覚で感じ取ることができる。
【００１３】
【発明の実施の形態】
次に、本発明の実施形態を図面に基づいて説明する。
【００１４】
図１に示す実施形態において、１は妊婦体験シミュレーターであり、このシミュレーター１は、腹巻き状に構成されており、擬似胎児羊水部２と、この擬似胎児羊水部２の両サイドから外方に延ばされた巻付け部３，３とを備えて、擬似胎児羊水部２を着用者４の腹部に当てるようにし、巻付け部３，３を着用者４の背中側に回し、巻付け部３，３同士を結合することによって、着用者４の腹部の胴回りに保持されるようになされている。結合は、例えば、巻付け部３，３の先端部に面ファスナー５，５を設け、巻付け部３，３を重なり状にしてこれら面ファスナー５，５同士を接着させることで行われる。なお、結合のための手段として、その他各種手段が用いられてよいことはいうまでもない。このように、本シミュレーター１は、これを着用者４に取り付けるための部分として、肩掛け部分を備えておらず、着用者は、シミュレーター１を腹部の胴回りに巻いて取り付けるしか、他に取付け方法を有しない構造となっている。
【００１５】
上記のシミュレーター１において、擬似胎児羊水部２には、空気袋部６が備えられていて、この空気袋部６の中に空気を入れて膨らませることにより擬似胎児羊水部２が形成されるようになっている。７は空気出し入れ部であり、この空気出し入れ部７を通じて空気袋部６に対する空気の出し入れを行えるようになっている。そして、空気袋部６の袋壁は、弾力性を有するゴム状材料からなっていて、内部に入れる空気の量を大小調整し袋壁を伸縮させて、擬似胎児羊水部２の体積を大小変化させることができるようになっている。
【００１６】
そして、このシミュレーター１において、空気袋部６の背面部、即ち、着用者４の腹部に沿うこととなる領域部分に、変形追従性を有するシート状のおもり８が備えられ、おもり層部が形成されている。おもり８の重量は、例えば、２乃至３ｋｇのものがよい。
【００１７】
なお、図面に示すシミュレーター１では、空気袋部６と巻付け部３，３とがゴム状材料で一体成形されているように示されているが、このような構造に限られるものではなく、その他、例えば、腹巻き状のベルト体の腹部内面側にベルト体とは別体の空気袋を取り付けた構造などとしてもよいことはいうまでもない。
【００１８】
上記の妊婦体験シミュレーター１では、これに備えられた空気袋部６に空気を入れるだけで擬似胎児羊水部２を形成することができるので、擬似胎児羊水部２を容易に形成することができる。空気は、息を吹き込むことで入れるようにしてもよいし、ポンプを用いて入れるようにしてもよいし、圧縮ガスを注入して入れるようにしてもよい。
【００１９】
しかも、空気袋部６は伸縮性を有するから、例えば、着用者４の体格や、体験しようとする妊婦の妊娠月数、擬似胎児羊水部２の体積の変化によって妊婦の動作域がどのように変わるかを試してみようというような場合などにおいて、それに応じた種々の体積の擬似胎児羊水部２を、図２（イ）（ロ）（ハ）に示すように、空気袋部６内の空気量を大小調整するだけで容易に形成することができる。しかも、擬似胎児羊水部２の体積は、これを無段階に調整することができるので、細かい調整が可能である。
【００２０】
身体へのシミュレーター１の取付けは、擬似胎児羊水部２を腹部に当てるようにし、そして、巻付け部３，３を背中側に回し、巻付け部３，３同士を重なり状態にして面ファスナー５，５で結合するというようにして行う。なお、空気の注入は、着用前に行うようにしてもよいし、着用後に行うようにしてもよいし、あるいは、着用前にある程度注入しておき、着用後に空気を出し入れして体積の調整を行うというようにしてもよい。
【００２１】
このシミュレーター１には、このように、肩掛け部分がなく、巻付け部３，３を腹部同回りに巻き付けて取り付けるしかないから、シミュレーター１の使用方法の説明が不十分であったとしても、あるいは、説明がなかったとしても、着用者４は、シミュレーター１を腹部胴回りに保持させるように取り付けることとなって、シミュレーター１の重量を、肩ではなく、誤りなく確実に腹部で感じさせることができ、妊娠による身体への荷重のかかり具合を誤りなく正確に体験することができる。そして、着用者４の腹部胴回りでシミュレーター１を保持させる構造との組み合わせにおいて、空気袋部６の背面側にシート状のおもり層部８が備えられているから、シミュレーター１の重心位置が身体側に近くに位置し、着用者４はこのシミュレーター１によって荷重のかかり具合を実際の妊婦により近い感覚で感じ取ることができる。
【００２２】
図３（イ）には、体験者４に、上記のシミュレーター１の他に、胸当て９を着用させたものである。胸当て９は妊婦の胸部を模するためのものであってもよいし、単なる胸隠しであってもよい。このように、シミュレーター１を胸当て９と分離し、シミュレーター１から肩掛け部分を排除することによって、着用者４に誤りない妊婦体験をさせることができる。図３（ロ）は更に、フレアスカート、エプロン、かっぽう着等の衣服１０を着用させたものである。妊娠時に衣服１０によって足元の視界がどの程度狭められるのかをより実際に近いかたちで体験することができる。このように、胎児羊水部用シミュレーター１と胸当て９とをセットにしてシミュレーターとしてもよいし、更に衣服１０もセットの一つとして含ませてもよい。また、胸当て９を省略して胎児羊水部用シミュレーター１と衣服１０とをセットにするようにしてもよい。
【００２３】
以上に、本発明の実施形態を示したが、本発明はこれに限られるものではなく、発明思想を逸脱しない範囲で、各種の変更が可能である。例えば、上記の実施形態では、シミュレーター１におもり８を備えさせた例を示しているが、妊婦の動作域減少の体験を主目的とするシミュレーターとする場合、即ち妊娠による荷重のかかり方を目的としない場合には、おもり８は省略されてよい。その場合、擬似胎児羊水部２の内部は空気であるから、非常に軽量な体験シミュレーターを実現することができ、妊婦の動作域減少の体験を楽に行うことができる。また、上記の実施形態では、空気袋の袋壁を伸縮性のあるものに構成し、擬似胎児羊水部２の体積を大小変化させることができるようにしているが、一定体積の擬似胎児羊水部が形成される構造となされていてもよい。また、本発明では、肩掛け部分を有する妊婦体験シミュレーターに、空気袋で形成される擬似胎児羊水部を備えさせた構造としてもよい。
【００２４】
【発明の効果】
本発明は、以上のとおりのものであるから、擬似胎児羊水部を容易に形成することができる。また、体積の大小異なる擬似胎児羊水部を容易にしかもコスト的に有利に形成することができる。また、妊娠時の体重増による身体への荷重のかかり具合を体験することが目的の一つであるような場合において、使用方法の説明が不十分であったとしても、身体への荷重のかかり具合を着用者が誤りなく正確に体験することができる。また、妊婦の動作域減少の体験が主目的である場合に非常に軽い体験シミュレーターを実現することができる。
【図面の簡単な説明】
【図１】実施形態のシミュレーターを示すもので、図（イ）は着用状態の側面図、図（ロ）は図（イ）のＩ−Ｉ線断面図、図（ハ）はシミュレーターを開いた状態の断面図である。
【図２】図（イ）乃至図（ハ）は擬似胎児羊水部の体積を種々異ならせた状態の断面図である。
【図３】図（イ）は上記のシミュレーターと胸当てを着用させた状態の側面図、図（ロ）は更に衣服を着用させた状態の側面図である。
【符号の説明】
１…妊婦体験シミュレーター
２…擬似胎児羊水部
４…着用者
６…空気袋部
７…空気出し入れ部
８…おもり層部
【図１】
0004316097.tif 000002
【図２】
0004316097.tif 000003
【図３】
0004316097.tif 000004